(57)【要約】      （修正有）【課題】建築用電動シャッター等に設けられるローラチェーンの規格を容易に識別できるゲージを提供する。【解決手段】ローラチェーンの規格数のゲージ９〜１４を備え、各ゲージ９〜１４には、対応するローラが嵌入するゲージ溝９ｂ〜１４ｂと、隣接ローラ間およびリンク内幅により形成される空間の大きさに対応したゲージ凸部９ｃ〜１４ｃがピッチ間隔ｐに形成されたものとし、そしてこれらゲージ９〜１４のうち、ローラチェーンに丁度嵌入するものによりローラチェーンの規格を識別できる。【選択図】図４
2015010859.tif 000002
【特許請求の範囲】
【請求項１】
ピッチ、ローラの外径、リンクの内幅が大小異なる複数の規格寸法で設定されるローラチェーンの該規格を識別するためのゲージであって、該ゲージは、前記規格の数に対応して複数あるものであって、リンクの内幅よりも小さい板厚を有したゲージ本体に、ローラに嵌入する溝幅を有したゲージ溝と、隣接するローラ間とリンクの内幅とのあいだに形成される空間に嵌入するゲージ凸部との少なくとも一方が形成されたものであり、小規格側ゲージ溝は、小規格側ローラには嵌入するが大規格側ローラには嵌入しない大きさの溝幅に設定され、大規格側ゲージ凸部は、大規格側空間には嵌入するが小規格側空間には嵌入しない大きさに設定されていると共に、ゲージ溝および／またはゲージ凸部は、ローラチェーンに嵌入したときローラの中心よりも深く嵌入する設定になっていることを特徴とする請求項１記載のローラチェーン用のゲージ。
【請求項２】
ゲージは、ゲージ溝とゲージ凸部との両者が隣接する状態でゲージ本体に設けられていることを特徴とする請求項１記載のローラチェーン用のゲージ。
【請求項３】
ゲージは、連続するゲージ溝、ゲージ凸部同士が対応するピッチを存して複数設けられていることを特徴とする請求項２記載のローラチェーン用のゲージ。
【請求項４】
ゲージ溝の溝幅は、大規格側ローラのローラ外径と小規格側ローラのローラ外径とのあいだの寸法であり、ゲージ凸部の大きさは、大規格側空間の大きさと小規格側空間の大きさとのあいだの寸法であることを特徴とする請求項１乃至３の何れか１記載のローラチェーン用のゲージ。
【請求項５】
ゲージは、ローラチェーンの各規格ごとに個々に形成されるものであり、該形成された個々のゲージが纏められた集合体になっていることを特徴とする請求項１乃至４の何れか１記載のローラチェーン用のゲージ。
【請求項６】
ゲージは、ローラチェーンの規格数に対応した多角形状に形成された板状体の各一辺に一つずつ設けられていることを特徴とする請求項１乃至４の何れか１記載のローラチェーン用のゲージ。
【発明の詳細な説明】
【技術分野】
【０００１】
本発明は、動力伝動手段の一つとして用いられるローラチェーン用のゲージの技術分野に関するものである。
【背景技術】
【０００２】
一般に、この種ローラチェーンは各種の機械的分野において動力伝動を司るものとして利用されているが、このような分野の一つとして建築用シャッターの分野があり、この分野においてローラチェーンは、電動開閉機とシャッターカーテンが巻装される巻取りドラムとのあいだの動力伝動手段として用いられている。ところでローラチェーンは使用に伴い摩耗がすすむため、適宜時期が来たら交換する等のメンテナンスが要求される。そこでローラチェーンの摩耗量をローラチェーンの延び量で測定し、延び量があるところまで至った段階で交換時期に達したと判断するようにしており、このためローラチェーンの延びを測定するためのゲージが知られている（例えば特許文献１参照）。ところがこの場合、一ピッチでのローラチェーンでは延び量が小さいため測定することが難しく、そこで多数ピッチのローラチェーンの延び量を測定して判断するようにしている。
【先行技術文献】
【特許文献】
【０００３】
【特許文献１】特許第３４１５５１７号公報
【発明の概要】
【発明が解決しようとする課題】
【０００４】
ところで前記建築用シャッターの分野では、開閉機と巻取りドラムとの両スプロケット間の距離が短く、この間に数ピッチのローラチェーンしかないものがあり、このようなものでは、ローラチェーンの延び量の計測が事実上できない場合があり、そこで監視者が錆の発生度合等を視認により確認をし、これにより交換時期に達したか否かの判断をし、交換時期に達したと判断された場合、ローラチェーンの交換をすることになるが、開閉機や巻取りドラムは開口部上方の天井部位に設けたシャッターケースに内装されているため、ローラチェーンの状態を視認により確認する場合に、高所でしかも暗所での確認作業が強いられることになるが、この場合に、ローラチェーンの規格が判っていないときにはローラチェーンがどの規格であるかの判断までをもしなければならないが、前記高所かつ暗所において、他のローラチェーンと比較することができないたった１本のローラチェーンの規格を正確に判断することには難しいものがあり、ここに本発明の解決すべき課題がある。
【課題を解決するための手段】
【０００５】
本発明は、上記の如き実情に鑑みこれらの課題を解決することを目的として創作されたものであって、請求項１の発明は、ピッチ、ローラの外径とリンクの内幅とが大小異なる複数の規格寸法で設定されるローラチェーンの該規格を識別するためのゲージであって、該ゲージは、前記規格の数に対応して複数あるものであって、リンクの内幅よりも小さい板厚を有したゲージ本体に、ローラに嵌入する溝幅を有したゲージ溝と、隣接するローラ間とリンクの内幅とのあいだに形成される空間に嵌入するゲージ凸部との少なくとも一方が形成されたものであり、小規格側ゲージ溝は、小規格側ローラには嵌入するが大規格側ローラには嵌入しない大きさの溝幅に設定され、大規格側ゲージ凸部は、大規格側空間には嵌入するが小規格側空間には嵌入しない大きさに設定されていると共に、ゲージ溝および／またはゲージ凸部は、ローラチェーンに嵌入したときローラの中心よりも深く嵌入する設定になっていることを特徴とするローラチェーン用のゲージである。
請求項２の発明は、ゲージは、ゲージ溝とゲージ凸部との両者が隣接する状態でゲージ本体に設けられていることを特徴とする請求項１記載のローラチェーン用のゲージである。
請求項３の発明は、ゲージは、連続するゲージ溝、ゲージ凸部同士が対応するピッチを存して複数設けられていることを特徴とする請求項２記載のローラチェーン用のゲージである。
請求項４の発明は、ゲージ溝の溝幅は、大規格側ローラのローラ外径と小規格側ローラのローラ外径とのあいだの寸法であり、ゲージ凸部の大きさは、大規格側空間の大きさと小規格側空間の大きさとのあいだの寸法であることを特徴とする請求項１乃至３の何れか１記載のローラチェーン用のゲージである。
請求項５の発明は、ゲージは、ローラチェーンの各規格ごとに個々に形成されるものであり、該形成された個々のゲージが纏められた集合体になっていることを特徴とする請求項１乃至４の何れか１記載のローラチェーン用のゲージである。
請求項６の発明は、ゲージは、ローラチェーンの規格数に対応した多角形状に形成された板状体の各一辺に一つずつ設けられていることを特徴とする請求項１乃至４の何れか１記載のローラチェーン用のゲージである。
【発明の効果】
【０００６】
請求項１の発明とすることにより、大小規格が異なるローラチェーンの規格の識別を、ゲージ本体にゲージ溝、ゲージ凸部の少なくとも一方が形成されたゲージを用い、暗所、手しか入らない狭い空間、また熟練でなくてもゲージがローラチェーンにぴったりと嵌入し、横にスライドさせても動かない状態になって簡単にすることができる。
請求項２、３の発明とすることにより、ローラチェーンの規格の識別を、より確実にすることができる。
請求項４の発明とすることにより、ゲージのローラチェーンへの嵌入操作が行い易くなって識別作業の作業性が向上する。
請求項５、６の発明とすることにより、個々の規格に合わせて複数あるゲージが一つに纏まったものとなって紛失したりすることを防止することができる。
【図面の簡単な説明】
【０００７】
【図１】（Ａ）（Ｂ）は建築用シャッター装置の概略正面図、概略側面図である。
【図２】ローラチェーンの平面図である。
【図３】ローラチェーンの規格寸法表図である。
【図４】（Ａ）〜（Ｆ）は第一の実施の形態の各規格ゲージの正面図である。
【図５】（Ａ）〜（Ｃ）は第一の実施の形態の規格ゲージの集合体の正面図、底面図、各ケージを回動させた状態の正面図である。
【図６】各規格ゲージの寸法表図である。
【図７】（Ａ）（Ｂ）は規格が合った同士のゲージとローラチェーンとの嵌入状態を示す断面図、規格が合わなかった同士のゲージとローラチェーンとの非嵌入状態を示す断面図である。
【図８】（Ａ）（Ｂ）（Ｃ）（Ｄ）は第二の実施の形態を示す各規格ゲージの正面図、その集合体の正面図、同集合体の回動させた状態を示す正面図、集合体の底面図である。
【図９】（Ａ）（Ｂ）は第三の実施の形態のゲージの正面図、（Ａ）のＡ−Ａ断面図である。
【発明を実施するための形態】
【０００８】
以下、本発明の実施の形態について、図面に基づいて説明する。１は建築物の出入り口等の開口部に建て付けられる建築用電動シャッター装置であって、該建築用電動シャッター装置１は開口部の天井部に配されたシャッターケース２内には、回転自在に設けられ、シャッターカーテン３が巻装された巻取りドラム４と電動式の開閉機５とが内装されているが、巻き取りドラム４、開閉機５にそれぞれ設けたスプロケット４ａ、５ａ間には無端のローラチェーン６が巻回されている。そして開閉機５の正逆駆動に伴う巻取りドラム４の回転によりシャッターカーテン３が左右のガイドレール７に案内されて開閉昇降するようになっていること等は何れも従来通りである。
【０００９】
ローラチェーン６は、内外のリンク６ａ、６ｂ、内外リンク６ａ、６ｂの積層部位を貫通するピン６ｃ、該ピン６ｃに回転自在に外嵌するローラ６ｄを用いて構成されており、汎用のものである。
【００１０】
８はローラチェーン用のゲージの集合体であって、該ゲージ集合体８は、建築用電動シャッター装置１において一般的に採用されるローラチェーン６のチェーン番号である「３５」「３８」「４０」「５０」「６０」「８０」の規格のローラチェーン用のゲージ９、１０、１１、１２、１３、１４が本実施の形態では用意されているが、必要においてこれらのもの以外のゲージを用意することが勿論できる。これら各規格のローラチェーン６のピッチｐ、ローラ外径Ｄｒ、ローラリンク内幅Ｗを図３に示す。
【００１１】
前記ケージ集合体８を構成する各ゲージ９〜１４は、長方形状の四角板材を用いたゲージ本体９ａ〜１４ａの一方の長辺には本実施の形態では四ピッチ分のローラ６ｄに当てがうゲージ溝９ｂ〜１４ｂとゲージ凸部９ｃ〜１４ｃとが隣接する状態で交互に形成され、他方の長辺には前記ゲージ溝９ｂ〜１４ｂを加工するのに必要な一対の加工用孔９ｄ〜１４ｄが形成されているが、これら各ゲージ９〜１４の一方の加工用孔９ｄ〜１４ｄにビス１５を挿入し、ナット１５ａで緊締されていることで、各ゲージ９〜１４が各別に回動できるように構成されている。そして各ゲージ９〜１４の正面には、ローラチェーン６のチェーン番号とピッチが刻設されている。尚、各ゲージ９〜１４のあいだに樹脂材や金属等の適宜素材で形成したワッシャーを挿入することで各ゲージ９〜１４間に隙間ができ、回動操作しやすいものとなる。また、各ゲージ９〜１４を、ビス１５でなくリングや無端の索体（ワイヤー、チェーン、紐等）の集合部材を用いてゲージ集合体とすることができる。
【００１２】
図６の表図に各ゲージ９〜１４のピッチＰ、ゲージ溝幅（溝内周面間の長さ）Ｄｘ、ゲージ板厚（ゲージ凸部の幅）ｔ、ゲージ凸部のピッチ方向の長さＬの第一例を記載しているが、例えば「チェーン番号３８」のものであれば、該ローラチェーン６の規格寸法は、図３から、
ピッチｐ          ：１２．７０ｍｍ
ローラ外径Ｄｒ    ：７．８０ｍｍ
ローラリンク内幅Ｗ：４．８０ｍｍ
であるから、３８チェーン用ゲージ１０としては、
ピッチＰ          ：１２．７０ｍｍ
ゲージ溝幅Ｄｘ    ：８．００ｍｍ
ゲージ板厚ｔ      ：４．００ｍｍ
ゲージ凸部の長さＬ：４．７０ｍｍ
と設定している。
つまり、ローラチェーン６と３８チェーン用ゲージ１０のピッチｐ、Ｐは何れも同じ１２．７０ｍｍ（ｐ＝Ｐ）とし、ゲージ溝幅Ｄｘを８．００ｍｍとしてローラ外径Ｄｒの７．８０ｍｍよりは大きい（Ｄｘ＞Ｄｒ）ものとしてゲージ溝９ｂがローラ６ｄに嵌合できる寸法とし、またゲージ板厚（ゲージ凸部９ｃの幅）ｔをリンク内幅Ｗ（４．８０ｍｍ）よりも小さい４．００ｍｍ（ｔ＜Ｗ）、ゲージ凸部６ｃの長さＬを隣接ローラ６ｄ間の寸法（４．９０ｍｍ＝ｐ−Ｄｒ＞Ｌ）よりも小さい４．７０ｍｍとし、これによりゲージ凸部９ｃがローラチェーン６の隣接するローラ６ｄ間とリンク６ａ、６ｂの内幅に形成される空間Ｓに嵌入できる大きさとしている。そしてこの場合に、ゲージ溝９ｂ〜１４ｂ、ゲージ凸部９ｃ〜１４ｃは、ローラチェーン６に嵌入した場合に、ローラ６ｄの中心よりも深く嵌入することができる長さに設定されている。
【００１３】
そしてこのように構成することで、３５チェーン用ゲージ９はチェーン番号３５のローラチェーンに、３８チェーン用ゲージ１０はチェーン番号３８のローラチェーン６にそれぞれ嵌合するが、３８チェーン用ゲージ１０はチェーン番号３５のローラチェーン６に、３５チェーン用ゲージ９はチェーン番号３８のローラチェーン６にピッチ違いで嵌合しないため、両者の識別ができるが、さらに３５チェーン用ゲージ９のゲージ溝９ｂはチェーン番号３８のローラチェーン６のローラ６ｄの外径Ｄｒよりも溝幅Ｄｘが小さいため嵌入することができず、これによっても両ローラチェーン６の識別ができ、また３８チェーン用ゲージ１０のゲージ凸部１０ｃは、チェーン番号３５のローラチェーン６の空間Ｓの寸法よりも大きいため嵌入することができず、これによっても両ローラチェーン６の識別ができるようになっている。
【００１４】
さらにこのものでは次のような配慮もなされている。チェーン番号３８と４０のローラチェーンはピッチｐは同じでローラ外径Ｄｒも殆ど同じであるため、３８チェーン用ゲージ１０と４０チェーン用ゲージ１１とでは、ピッチＰ、ゲージ溝幅Ｄｘについては同じにして区別がつかないが、４０チェーン用ゲージ１１のゲージ板厚ｔをチェーン番号３８のリンク内幅Ｗが４．８０ｍｍよりも大きい７．８５ｍｍとしていて、４０チェーン用ゲージ１１のゲージ溝１１ｂおよびゲージ凸部１１ｃの何れも、チェーン番号３８のローラチェーン６のローラ６ｄ、空間Ｓには嵌入することがなく、これによりチェーン番号３８と４０のローラチェーン６の識別ができるようになっている。
【００１５】
叙述の如く構成された本実施の形態において、寸法規格が異なるローラチェーン６がどの規格であるかの識別をする場合に、各寸法規格に対応して形成したゲージ９〜１４の集合体８を現場に持ち込み、そして目測で適当と思われるゲージを抜き出してローラチェーン６にあてがったとき、丁度嵌まり込んだ場合には該ゲージに記載されるチェーン番号のローラチェーンであると識別することができる。一方、嵌まり込まない場合には、次に適当と思われるゲージを抜き出してローラチェーン６にあてがい嵌合するか確認をする。
【００１６】
このように本発明が実施されたものにおいては、現場においてローラチェーン６のチェーン番号を迅速に認識することができ、誤認することを回避できることになる。
【００１７】
尚、本発明は、前記実施の形態に限定されないものであることは勿論であって、ゲージ溝については、小規格側ゲージ溝が小規格側ローラには嵌入するが大規格側ローラには嵌入しない大きさの溝幅に設定され、ゲージ凸部については、大規格側ゲージ凸部が大規格側空間には嵌入するが小規格側空間には嵌入しない大きさに設定されていればよい。
またゲージ凸部については、ゲージ板厚ｔかピッチ方向の長さＬの何れか一方について、大規格側ゲージ凸部が大規格側空間には嵌入するが小規格側空間には嵌入しない大きさに設定されていればよい。この場合、ゲージ溝の溝幅と同じように、ゲージ板厚ｔかピッチ方向の長さＬの何れか一方については余裕をもって空間Ｓに嵌入する寸法、例えば４０〜８０チェーン用ゲージのゲージ板厚ｔのように同じ厚さに設定することができる。
【００１８】
さらに本発明は、ゲージ溝とゲージ凸部との少なくとも一方が形成され、小規格側ゲージ溝は、小規格側ローラには嵌入するが大規格側ローラには嵌入しない大きさの溝幅に設定され、大規格側ゲージ凸部は、大規格側空間には嵌入するが小規格側空間には嵌入しない大きさに設定されていればよいのであって、例えば図８に示す第二の実施の形態のように、一つのゲージ溝９ｂ〜１４ｂとその両端に一対のゲージ凸部９ｃ〜１４ｃが形成されたものとすることができ、またさらには、図９に示す第三の実施の形態のように、ローラチェーンの規格数に対応した多角形の板状体１６の一辺１６ａ〜１６ｆに一つずつのゲージ９〜１４を形成したものとすることができ、この場合、ゲージ９、１０については板状体１６を肉薄に切削することでリンク内幅に対応できるように構成しゲージ凸部９ｃ、１０ｃが空間Ｓに嵌入できるようにしているが、これらのようにした場合には、ゲージ群８が一つとなって取り扱いやすいうえに、ローラチェーン６の規格認識作業がよりしやすくなる。そして第二、第三の実施の形態のものは、ゲージ溝が一つであるためローラチェーンが伸びた場合でもゲージ９〜１４をローラチェーンに挿入できることになってローラチェーンが伸びに影響されることがない。
さらには本発明は、ゲージ溝については、小規格側ゲージ溝が小規格側ローラには嵌入するが大規格側ローラには嵌入しない大きさの溝幅に設定されていればよいのであるから、ローラ外径が異なるローラチェーンの規格を認識する場合、ゲージ溝が異なるゲージがあればよく、このためゲージ溝の両側に形成されるゲージ凸部は、空間Ｓに遊嵌していて規格認識に関与しない小寸法にしたものでもよい。
一方、ゲージ凸部については、大規格側ゲージ凸部が大規格側空間には嵌入するが小規格側空間には嵌入しない大きさに設定されていればよいのであるから、単純に空間Ｓに挿入するだけの棒状のものとすることができる。
【産業上の利用可能性】
【００１９】
本発明は、建築用電動シャッター等に設けられるローラチェーンの規格を、設置現場において識別することに利用することができる。
【符号の説明】
【００２０】
１  建築用電動シャッター装置
６  ローラチェーン
６ａ、６ｂ  リンク
６ｄ  ローラ
８  ゲージ集合体
９〜１４  ゲージ
９ａ  ゲージ本体
９ｂ  ゲージ溝
９ｃ  ゲージ凸部
ｐ  ローラチェーンのピッチ
Ｄｒ  ローラ外径
Ｗ  リンク内幅
Ｄｘ  ゲージ溝幅
Ｐ  ゲージのピッチ
ｔ  ゲージ板厚
Ｓ  空間
【図１】
2015010859.tif 000003
【図２】
2015010859.tif 000004
【図３】
2015010859.tif 000005
【図４】
2015010859.tif 000006
【図５】
2015010859.tif 000007
【図６】
2015010859.tif 000008
【図７】
2015010859.tif 000009
【図８】
2015010859.tif 000010
【図９】
2015010859.tif 000011